(57)【要約】【課題】寝返り性に優れたクッション材を得る。【解決手段】上面クッション層１８、上面クッション層１８と積層された中間クッション層１６、中間クッション層１６と積層された下面クッション層１４の３層を少なくとも備えるクッション材１０において、中間クッション層１６の反発弾性を、上面クッション層１８及び下面クッション層１４より高く設定する。【選択図】図１
2016214762.tif 000002
【特許請求の範囲】
【請求項１】
上面クッション層、前記上面クッション層と積層された中間クッション層、前記中間クッション層と積層された下面クッション層の３層を少なくとも備えるクッション材であって、
前記中間クッション層の反発弾性が、前記上面クッション層及び前記下面クッション層より高いクッション材。
【請求項２】
前記上面クッション層は、反発弾性（％）が１５以上５０未満、硬さ（Ｎ）が１９０以上２３０未満、前記中間クッション層は、反発弾性（％）が５０以上、硬さ（Ｎ）が９０以上１５０未満、前記下面クッション層は、反発弾性（％）が１５以上５０未満、硬さ（Ｎ）が１９０以上２３０未満である請求項１に記載のクッション材。
【請求項３】
前記上面クッション層は、反発弾性（％）が１５以上５０未満、硬さ（Ｎ）が１２５以上１７５未満、前記中間クッション層は、反発弾性（％）が５０以上、硬さ（Ｎ）が９０以上１５０未満、前記下面クッション層は、反発弾性（％）が１５以上５０未満、硬さ（Ｎ）が１２５以上１７５未満である請求項１に記載のクッション材。
【請求項４】
前記上面クッション層は、反発弾性（％）が１５以下、硬さ（Ｎ）が３０以上７０未満、前記中間クッション層は、反発弾性（％）が５０以上、硬さ（Ｎ）が９０以上１５０未満、前記下面クッション層は、反発弾性（％）が１５以上５０以下、硬さ（Ｎ）が１２５以上２３０未満である請求項１に記載のクッション材。
【請求項５】
前記上面クッション層は、反発弾性（％）が１５以上５０未満、硬さ（Ｎ）が８０以上１３０未満、前記中間クッション層は、反発弾性（％）が５０以上、硬さ（Ｎ）が９０以上１５０未満、前記下面クッション層は、反発弾性（％）が１５以上５０未満、硬さ（Ｎ）が１２５以上２３０未満である請求項１に記載のクッション材。
【請求項６】
前記上面クッション層、前記中間クッション層、及び前記下面クッション層はプロファイル加工され、前記上面クッション層、前記中間クッション層、及び前記下面クッション層には凹凸が形成されている請求項１〜５の何れか１項に記載のクッション材。
【請求項７】
前記中間クッション層の厚みが、全体の厚みの５〜４５％である、請求項１〜請求項６の何れか１項に記載のクッション材。
【請求項８】
前記中間クッション層の厚みが、全体の厚みの２０〜３５％である、請求項７に記載のクッション材。
【請求項９】
前記上面クッション層の厚みが５〜２０ｍｍ、前記中間クッション層の厚みが５〜２０ｍｍ、前記下面クッション層の厚みが２０〜４５ｍｍである請求項１〜８の何れか１項に記載のクッション材。
【発明の詳細な説明】
【技術分野】
【０００１】
本発明は、クッション材に関する。
【背景技術】
【０００２】
クッション材としては、例えば、特許文献１に記載のクッション材が知られている。
【０００３】
このクッション材は、クッションスラブ基材の少なくともその表面、または両面に低反発弾性のクッションスラブ材を積層している。
【先行技術文献】
【特許文献】
【０００４】
【特許文献１】特開２０００―５２４４号公報。
【発明の概要】
【発明が解決しようとする課題】
【０００５】
このクッション材は、床擦れ発生の防止、及びベッドの動きにスムーズに対応可し得ること等を目的としている。
ところで、寝返りは、睡眠ステージ（ノンレム睡眠とレム睡眠）の切り替わり時に発生することが知られている。また、睡眠ステージの切り替わり時は眠りが浅くなることも知られており、寝返りに大きな力を必要とする場合、即ち、寝返り性に劣る場合、睡眠を妨げてしまう虞がある。
【０００６】
本発明は、上記事実を考慮し、寝返り性に優れたクッション材の提供を目的とする。
【課題を解決するための手段】
【０００７】
請求項１に記載の発明は、上面クッション層、前記上面クッション層と積層された中間クッション層、前記中間クッション層と積層された下面クッション層の３層を少なくとも備えるクッション材であって、前記中間クッション層の反発弾性が、前記上面クッション層及び前記下面クッション層より高い。
【０００８】
請求項１に記載のクッション材は、中間クッション層の反発弾性を上面クッション層及び下面クッション層より高くすることで、例えば、クッション材の上に仰向けで寝ている状態から横向きに寝返りを打つとき、中間クッション層の反発力にサポートされて筋肉に負担を掛けずに寝返りを打つことができる。即ち、小さな力で寝返りできる。このため、請求項１記載のクッション材は、寝返り性に優れたものになる。
また、上面クッション層及び下面クッション層を中間クッション層より低反発弾性とすることで、反発が少なく、柔らかく感じる。
【０００９】
請求項２に記載の発明は、請求項１に記載のクッション材において、前記上面クッション層は、反発弾性（％）が１５以上５０未満、硬さ（Ｎ）が１９０以上２３０未満、前記中間クッション層は、反発弾性（％）が５０以上、硬さ（Ｎ）が９０以上１５０未満、前記下面クッション層は、反発弾性（％）が１５以上５０未満、硬さ（Ｎ）が１９０以上２３０未満である。
【００１０】
中間クッション層の反発弾性（％）を５０以上とし、硬さ（Ｎ）を９０以上１５０未満とすることで、筋肉に負担を掛けずに小さな力で寝返りを打つことができる。
また、上面クッション層は、反発弾性（％）が１５以上５０未満、硬さ（Ｎ）が１９０以上２３０未満、下面クッション層は、反発弾性（％）が１５以上５０未満、硬さ（Ｎ）が１９０以上２３０未満であるため、反発が少なく、柔らかく感じる。
【００１１】
請求項３に記載の発明は、請求項１に記載のクッション材において、前記上面クッション層は、反発弾性（％）が１５以上５０未満、硬さ（Ｎ）が１２５以上１７５未満、前記中間クッション層は、反発弾性（％）が５０以上、硬さ（Ｎ）が９０以上１５０未満、前記下面クッション層は、反発弾性（％）が１５以上５０未満、硬さ（Ｎ）が１２５以上１７５未満である。
【００１２】
請求項３に記載のクッション材は、中間クッション層の反発弾性（％）を５０以上とし、硬さ（Ｎ）を９０以上１５０未満とすることで、筋肉に負担を掛けずに寝返りを打つことができる。
また、上面クッション層は、反発弾性（％）が１５以上５０未満、硬さ（Ｎ）が１２５以上１７５未満、下面クッション層は、反発弾性（％）が１５以上５０未満、硬さ（Ｎ）が１２５以上１７５未満であるため、寝たときの体感を良くすることができる。
【００１３】
請求項４に記載の発明は、請求項１に記載のクッション材において、前記上面クッション層は、反発弾性（％）が１５以下、硬さ（Ｎ）が３０以上７０未満、前記中間クッション層は、反発弾性（％）が５０以上、硬さ（Ｎ）が９０以上１５０未満、前記下面クッション層は、反発弾性（％）が１５以上５０以下、硬さ（Ｎ）が１２５以上２３０未満である。
【００１４】
請求項４に記載のクッション材は、中間クッション層の反発弾性（％）を５０以上とし、硬さ（Ｎ）を９０以上１５０未満とすることで、筋肉に負担を掛けずに寝返りを打つことができる。
また、上面クッション層は、反発弾性（％）が１５以下、硬さ（Ｎ）が３０以上７０未満、下面クッション層は、反発弾性（％）が１５以上５０以下、硬さ（Ｎ）が１２５以上２３０未満であるため、寝たときの体感を良くすることができる。
【００１５】
請求項５に記載の発明は、請求項１に記載のクッション材において、前記上面クッション層は、反発弾性（％）が１５以上５０未満、硬さ（Ｎ）が８０以上１３０未満、前記中間クッション層は、反発弾性（％）が５０以上、硬さ（Ｎ）が９０以上１５０未満、前記下面クッション層は、反発弾性（％）が１５以上５０未満、硬さ（Ｎ）が１２５以上２３０未満である。
【００１６】
請求項５に記載のクッション材は、中間クッション層の反発弾性（％）を５０以上とし、硬さ（Ｎ）を９０以上１５０未満とすることで、筋肉に負担を掛けずに寝返りを打つことができる。
また、上面クッション層は、反発弾性（％）が１５以上５０未満、硬さ（Ｎ）が８０以上１３０未満、下面クッション層は、反発弾性（％）が１５以上５０未満、硬さ（Ｎ）が１２５以上２３０未満であるため、寝たときの体感を良くすることができる。
【００１７】
請求項６に記載の発明は、請求項１〜５の何れか１項に記載のクッション材において、前記上面クッション層、前記中間クッション層、及び前記下面クッション層はプロファイル加工され、前記上面クッション層、前記中間クッション層、及び前記下面クッション層には凹凸が形成されている。
【００１８】
請求項６に記載のクッション材は、プロファイル加工して表面に凹凸を形成することで通気性、及び体圧分散性がよくなる。また、プロファイル加工を採用することで、クッション材の生産効率が上る。
【００１９】
請求項７に記載の発明は、請求項１〜請求項６の何れか１項に記載のクッション材において、前記中間クッション層の厚みが、全体の厚みの５〜４５％である。
【００２０】
クッション材の全体の厚みを厚くすることなく、小さな力で寝返りができる。
【００２１】
請求項８に記載の発明は、請求項７に記載のクッション材において、前記中間クッション層の厚みが、全体の厚みの２０〜３５％である。
【００２２】
クッション材の全体の厚みを厚くすることなく、小さな力で寝返りができる。
【００２３】
請求項９に記載の発明は、請求項１〜８の何れか１項に記載のクッション材において、前記上面クッション層の厚みが５〜２０ｍｍ、前記中間クッション層の厚みが５〜２０ｍｍ、前記下面クッション層の厚みが２０〜４５ｍｍである。
【００２４】
クッション材の全体の厚みを厚くすることなく、小さな力で寝返りができる。
【００２５】
なお、本発明において、「硬さ」とは、ＪＩＳ  Ｋ  ６４００−２のＤ法によって求められるものであり、単位はＮ（ニュートンである）。
本発明において、「反発弾性」とは、ＪＩＳ  Ｋ  ６４００−３によって求められるものであり、単位は％である。なお、反発弾性が１５％未満を低反発、１５％以上５０％未満を一般弾性、５０％以上を高弾性と呼ぶ。
【発明の効果】
【００２６】
以上説明したように本発明のクッション材によれば、優れた寝返り性が得られ、睡眠ステージの切り替わり時に眠りが浅くなることを解消し、睡眠を妨げることを回避するという優れた効果を有する。
【図面の簡単な説明】
【００２７】
【図１】本発明の第１の実施形態に係るクッション材を示す断面図である。
【図２】プロファイル加工のされていないクッション材を示す断面図である。
【図３】筋電位と寝返りの際の経過時間との関係を示すグラフである。
【発明を実施するための形態】
【００２８】
［第１の実施形態］
図１を用いて、本発明の第１の実施形態に係るにクッション材１０について説明する。
図１に示すように、本実施形態のクッション材１０は、ベッド等のマットレスとして用いられるものであり、全体が長方形状とされており、ベースクッション層１２の上側に、下面クッション層１４、中間クッション層１６、及び上面クッション層１８が順に配置されている。
ベースクッション層１２、下面クッション層１４、中間クッション層１６、及び上面クッション層１８は、合成樹脂のフォームから形成され、本実施形態ではウレタンフォームで形成されている。
【００２９】
先ず、中間クッション層１６は、反発弾性が高い高弾性（反発弾性が５０％以上）のウレタンフォームで形成されている。本実施形態では、中間クッション層１６に、反発弾性が５０％以上、２５％圧縮時の硬さが９０Ｎ以上１５０Ｎ未満、密度が３７〜４３ｋｇ／ｍ３のウレタンフォームを用いている。
また、中間クッション層１６の厚みｔ３は、５ｍｍ以上とすることが好ましく、本実施形態では中間クッション層１６の厚みｔ３を１０ｍｍとしている。
【００３０】
最上部の上面クッション層１８は、反発弾性が中間クッション層１６よりも小さいウレタンフォームで形成されている。本実施形態では、上面クッション層１８に、反発弾性が１５％以上５０％未満、２５％圧縮時の硬さが中間クッション層１６よりも高く、その値が１９０Ｎ以上２３０Ｎ未満、密度が４２ｋｇ／ｍ３以上４６ｋｇ／ｍ３未満のウレタンフォームを用いている。また、本実施形態の上面クッション層１８の厚みｔ４は１０ｍｍである。
【００３１】
下面クッション層１４には、上面クッション層１８と同一仕様のウレタンフォームが用いられている。なお、本実施形態の下面クッション層１４の厚みｔ２は２５ｍｍである。
このように、本実施形態のクッション材１０は、下面クッション層１４と上面クッション層１８との中間部に、下面クッション層１４、及び上面クッション層１８よりも高弾性の中間クッション層１６が配置されている。
【００３２】
なお、本実施形態のベースクッション層１２に用いられるウレタンフォームは、反発弾性が１５％以上５０％未満、２５％圧縮時の硬さが１５０Ｎ以上２００Ｎ未満、密度が３５ｋｇ／ｍ３以上３９ｋｇ／ｍ３未満とされている。また、本実施形態のベースクッション層１２の厚みｔ１は４５ｍｍである。
【００３３】
また、本実施形態のクッション材１０の上面側には、下面クッション層１４、中間クッション層１６、及び上面クッション層１８に、いわゆるプロファイル加工により、複数の滑らかな山形状とされた凸部２０、及び複数の凹部２２が、一方向（例えば、マットレス長手方向）、及び一方向と交差する方向に交互に形成されている。複数の凸部２０、及び凹部２２の連なりを、例えば一方向に沿って断面で見たときの輪郭の形状は、略サインカーブまたは滑らかな波型である。
【００３４】
ちなみに、本実施形態の凸部２０の高さｈは、４０ｍｍである。このため、中間クッション層１６は、凸部２０の高さ方向の中間部に位置している。なお、高さｈは、凹部２２の底部から凸部２０の頂部までのクッション材１０の厚さ方向に沿って計測した寸法のことである。
【００３５】
次に、本実施形態のクッション材１０の作用効果を説明する。
中間クッション層１６は、反発弾性が上面クッション層、及び下面クッション層１４より高く設定されているので、上面クッション層、及び下面クッション層１４より大きな反発力を得ることができる。
【００３６】
本実施形態のクッション材１０では、中間クッション層１６の反発弾性を上面クッション層及び下面クッション層１４より高く設定し、反発弾性を５０％以上としているので、例えば、クッション材１０の上に仰向けで寝ている状態から横向きに寝返りを打つとき、中間クッション層１６の反発力にサポートされて筋肉に負担を掛けずに寝返りを打つことができる。このため、本実施形態のクッション材１０は、寝返り性に優れたものとなる。
【００３７】
また、本実施形態のクッション材１０では、上面クッション層１８及び下面クッション層１４を中間クッション層１６より低反発弾性とし、反発弾性が１５％以上５０％未満、２５％圧縮時の硬さが中間クッション層１６よりも高く、その値が１９０Ｎ以上２３０Ｎ未満、密度が４２ｋｇ／ｍ３以上４６ｋｇ／ｍ３未満であるため、クッション材１０の上に寝たときの体感がよくなる。
【００３８】
さらに、本実施形態のクッション材１０では、上面にプロファイル加工による複数の凸部２０、及び凹部２２が形成されているので、凸部２０、及び凹部２２が形成されていない場合に比較して、良好な通気性、及び体圧分散性が得られる。
【００３９】
本実施形態のクッション材１０は、ベースクッション層１２を備えていたが、高い寝返り性を得るには、少なくとも上面クッション層、中間クッション層１６、及び下面クッション層１４を備えていれば良く、ベースクッション層１２は省いても良い。
【００４０】
［第２の実施形態］
本発明の第２の実施形態に係るクッション材１０について説明する。本実施形態のクッション材１０は、各層の反発弾性、硬さ、密度が第１の実施形態とは異なっているものである。なお、第２の実施形態に係るクッション材１０は、第１の実施形態のクッション材と同一形状に形成されているため、図示は省略し、以下に、各層の反発弾性、硬さ、密度等について説明する。
【００４１】
先ず、本実施形態の中間クッション層１６には、第１の実施形態と同様の高弾性のウレタンフォームが用いられている。
【００４２】
最上部の上面クッション層１８は、反発弾性が中間クッション層１６よりも小さいウレタンフォームで形成されている。本実施形態の上面クッション層１８に用いられるウレタンフォームは、反発弾性が１５％以上５０％未満、２５％圧縮時の硬さが中間クッション層１６よりも高く、その値が１２５Ｎ以上１７５Ｎ未満、密度が３５ｋｇ／ｍ３以上３９ｋｇ／ｍ３未満とされている。
【００４３】
本実施形態の下面クッション層１４には、本実施形態の上面クッション層１８と同一仕様のウレタンフォームが用いられている。また、本実施形態のベースクッション層１２は、第１の実施形態のベースクッション層１２と同様のものが用いられている。
【００４４】
このように、本実施形態のクッション材１０も、第１の実施形態と同様に、下面クッション層１４と上面クッション層１８との中間部に、下面クッション層１４、及び上面クッション層１８よりも高弾性の中間クッション層１６が配置されている。
【００４５】
本実施形態のクッション材１０も、中間クッション層１６の反発弾性を上面クッション層及び下面クッション層１４より高くしているので、例えば、クッション材１０の上に仰向けで寝ている状態から横向きに寝返りを打つとき、中間クッション層１６の反発力にサポートされて筋肉に負担を掛けずに寝返りを打つことができる。
【００４６】
なお、本実施形態のクッション材１０では、上面クッション層１８、及び下面クッション層１４の２５％圧縮時の硬さを１２５Ｎ以上１７５Ｎ未満に設定し、上面クッション層１８、及び下面クッション層１４の硬さを第１の実施形態に比較して低下させているので、第１の実施形態に比較して、クッション材１０は体感的に硬さが低下する。
【００４７】
［第３の実施形態］
本発明の第３の実施形態に係るクッション材１０について説明する。本実施形態のクッション材１０は、各層の反発弾性、硬さ、密度が前述した第１、２の実施形態とは異なっているものである。なお、第３の実施形態に係るクッション材１０は、前述した第１、２の実施形態のクッション材と同一形状に形成されているため、図示は省略し、以下に、各層の反発弾性、硬さ、密度等について、前述した実施形態とは異なる点を説明する。
【００４８】
先ず、本実施形態の中間クッション層１６には、第１の実施形態と同様の高弾性のウレタンフォームが用いられている。
【００４９】
本実施形態の上面クッション層１８は、反発弾性が中間クッション層１６よりも小さいウレタンフォームで形成されている。本実施形態の上面クッション層１８に用いられるウレタンフォームは、反発弾性が１５％以下、２５％圧縮時の硬さが中間クッション層１６よりも低く、その値が３０Ｎ以上７０Ｎ未満、密度が３５ｋｇ／ｍ３以上６５ｋｇ／ｍ３未満とされている。
【００５０】
本実施形態の下面クッション層１４には、反発弾性が１５％以上５０％未満、２５％圧縮時の硬さが１２５Ｎ以上２３０Ｎ未満のウレタンフォームが用いられている。また、本実施形態のベースクッション層１２は、第１の実施形態のベースクッション層１２と同様のものが用いられている。
【００５１】
このように、本実施形態のクッション材１０も、下面クッション層１４と上面クッション層１８との中間部に、下面クッション層１４、及び上面クッション層１８よりも高弾性の中間クッション層１６が配置されている。
【００５２】
本実施形態のクッション材１０も、中間クッション層１６の反発弾性を上面クッション層及び下面クッション層１４より高くしているので、例えば、クッション材１０の上に仰向けで寝ている状態から横向きに寝返りを打つとき、中間クッション層１６の反発力にサポートされて筋肉に負担を掛けずに寝返りを打つことができる。
【００５３】
なお、本実施形態のクッション材１０では、上面クッション層１８、及び下面クッション層１４の反発弾性、及び硬さを第１、２の実施形態よりも低く設定し、反発弾性が１５％以下、２５％圧縮時の硬さが３０Ｎ以上７０Ｎ未満、密度が３５ｋｇ／ｍ３以上６５ｋｇ／ｍ３未満であるため、クッション材１０は全体的に反発弾性が低下する。
【００５４】
［第４の実施形態］
本発明の第４の実施形態に係るクッション材１０について説明する。本実施形態のクッション材１０は、各層の反発弾性、硬さ、密度が前述した第１〜３の実施形態とは異なっているものである。なお、第４の実施形態に係るクッション材１０は、前述した第１〜３の実施形態のクッション材と同一形状に形成されているため、図示は省略し、以下に、各層の反発弾性、硬さ、密度等について説明する。
【００５５】
先ず、本実施形態の中間クッション層１６には、第１の実施形態と同様の高弾性のウレタンフォームが用いられている。
【００５６】
本実施形態の上面クッション層１８は、反発弾性が中間クッション層１６よりも小さいウレタンフォームで形成されている。本実施形態の上面クッション層１８に用いられるウレタンフォームは、反発弾性が１５％以上５０％未満、２５％圧縮時の硬さが中間クッション層１６よりも低く、その値が８０Ｎ以上１３０Ｎ未満、密度が１８ｋｇ／ｍ３以上３０ｋｇ／ｍ３未満とされている。
【００５７】
本実施形態の下面クッション層１４には、反発弾性が１５％以上５０％未満、２５％圧縮時の硬さが１２５Ｎ以上２３０Ｎ未満のウレタンフォームが用いられている。また、本実施形態のベースクッション層１２は、第１の実施形態のベースクッション層１２と同様のものが用いられている。
【００５８】
このように、本実施形態のクッション材１０も、下面クッション層１４と上面クッション層１８との中間部に、下面クッション層１４、及び上面クッション層１８よりも高弾性の中間クッション層１６が配置されている。
【００５９】
本実施形態のクッション材１０も、中間クッション層１６の反発弾性を上面クッション層及び下面クッション層１４より高くしているので、例えば、クッション材１０の上に仰向けで寝ている状態から横向きに寝返りを打つとき、中間クッション層１６の反発力にサポートされて筋肉に負担を掛けずに寝返りを打つことができる。
【００６０】
なお、本実施形態のクッション材１０では、上面クッション層１８及び下面クッション層１４の硬さを第１、２の実施形態よりも低く設定しており、反発弾性が１５％以上５０％未満、２５％圧縮時の硬さが８０Ｎ以上１３０Ｎ未満、密度が１８ｋｇ／ｍ３以上３０ｋｇ／ｍ３未満であるため、クッション材１０は全体的に硬さが低下する。
【００６１】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００６２】
上記第１〜４の実施形態のクッション材１０では、上面にプロファイル加工によって複数の凸部２０、及び凹部２２が形成されていたが、本発明はこれに限らず、図２に示すように、凸部２０、及び凹部２２が形成されていなくても、クッション材１０の上に仰向けで寝ている状態から横向きに寝返りを打つとき、中間クッション層１６の反発力にサポートされて筋肉に負担を掛けずに寝返りを打つことができる。
【００６３】
上記クッション材１０では、ベースクッション層１２が設けられていたが、ベースクッション層１２は無い場合もある。
上面クッション層１８、中間クッション層１６、及び下面クッション層１４の反発弾性、硬さ、密度、厚さは、本発明の趣旨を逸脱しない範囲において適宜変更可能である。
中間クッション層１６の厚みは、上面クッション層１８、中間クッション層１６、及び下面クッション層１４の全体の厚みの５〜４５％とすることが好ましく、２０〜３５％とすることが更に好ましい。また、上面クッション層１８の厚みを５〜２０ｍｍ、中間クッション層１６の厚みを５〜２０ｍｍ、下面クッション層１４の厚みを２０〜４５ｍｍとすることが好ましい。
【００６４】
上記実施形態では、上面クッション層１８、中間クッション層１６、及び下面クッション層１４にウレタンフォームを用いたが、本発明はこれに限らず、ウレタン以外のフォーム材を用いても良く、合成樹脂等からなる３次元の網目構造体を用いても良い。
【００６５】
［試験例］
本発明の効果を確かめるために、従来技術のクッション材、及び本発明の適用された実施例のクッション材２種を試作し、被験者の腹直筋の筋電位を測定することで寝返り性の比較を行った。
【００６６】
試験では、クッション材の上で被験者が仰向けに寝た状態から右へ横向きに寝返りを打つときの左腹直筋の筋電位を測定した。
実施例１のクッション材は、上記第１の実施形態のクッション材である。
実施例２のクッション材は、第１の実施形態のクッション材において、中間クッション層の厚さを１５ｍｍ、下面クッション層の厚みを２０ｍｍに変更したものである。
従来例のクッション材は、上記第１の実施形態のクッション材において、中間クッション材の反発弾性を１５％以上５０％以下、２５％圧縮時の硬さを８０〜１３０Ｎ、密度を２１ｋｇ／ｍ３以上２５ｋｇ／ｍ３以下としたものである。
【００６７】
図３には、試験結果が示されている。図３のグラフ線で示す様に、本発明の適用された実施例１，２のクッション材は、従来例のクッション材に比較して、寝返りをする際の筋電位が低く、寝返りし易いことが分かる。なお、図３に示すグラフにおいて、縦軸は筋電位（ｍＶ）、横軸は時間（ｍｓｅｃ）である。
【符号の説明】
【００６８】
１０…クッション材、１４…下面クッション層、１６…中間クッション層、１８…上面クッション層
【図１】
2016214762.tif 000003
【図２】
2016214762.tif 000004
【図３】
2016214762.tif 000005